(57)【要約】【課題】照明器具の清掃の際、ＬＥＤに直接触れてしまうことにより、ＬＥＤが静電気によって破壊される恐れから、ＬＥＤを守る。【解決手段】器具本体２と、器具本体２に実装されたＬＥＤ基板３と、器具本体２と電気的に接続され導電部材を有する静電気除去部６と、静電気除去部６に静電気除去部６の存在を示す表示ラベル８を有する照明器具。また、静電気除去部６はプルスイッチを兼用するものであってもよく、または落下防止ワイヤーを兼用するものであってもよい。【選択図】図１
2013182797.tif 000002
【特許請求の範囲】
【請求項１】
器具本体と
前記器具本体に備えられたＬＥＤ基板と
前記器具本体と電気的に接続され導電部材を有する静電気除去部と
前記静電気除去部に前記静電気除去部の存在を示す表示ラベル
を有する照明器具。
【請求項２】
請求項１記載の照明器具において
前記静電気除去部がプルスイッチを兼用している
ことを特徴とする照明器具。
【請求項３】
請求項１記載の照明器具において、
前記静電気除去部が落下防止ワイヤーを兼用している
ことを特徴とする照明器具。
【発明の詳細な説明】
【技術分野】
【０００１】
本発明は、照明器具に関する。
【背景技術】
【０００２】
近年、白熱電球等の照明光源よりも発熱量、消費電力が少なく、長寿命な発光ダイオード（ＬＥＤ：ＬｉｇｈｔＥｍｉｔｔｉｎｇ  Ｄｉｏｄｅ）を発光素子として利用した照明器具が開発されている。
そのような中、照明器具全体の光量を確保するために、ＬＥＤに流す電流を増やし、光出力を増大させて使用させることが考えられる。しかしながら、ＬＥＤに流す電流を増やしすぎると、ＬＥＤの発熱が増大し、発光ダイオードの内部封止樹脂が劣化して光出力が逆に低下してしまう可能性がある。これは、ＬＥＤの寿命はその光出力で定義されるため、結果的にＬＥＤの寿命が短くなる可能性があった。
【０００３】
そこで、金属板の表面に絶縁層を貼り合わせた金属基板を用い、この金属基板上にＬＥＤを実装することで、放熱性を高めＬＥＤの発熱を抑制し、ＬＥＤの寿命を延ばしたＬＥＤユニットが従来から提案されている（特許文献１）
このＬＥＤユニットは持ち運びが簡単で施工し易いといった利点があるが、その利点がゆえに様々な用途や場所で使用されることになり、その結果、ＬＥＤユニットが少なからず静電気を受けることになる。ＬＥＤユニットに実装されたＬＥＤは半導体部品であり、比較的静電気に弱いため、ＬＥＤユニットに静電気が印加されると、ＬＥＤに過大なストレスがかかっていた。
【０００４】
これらの静電気の問題を解決するために、直列接続された複数個のＬＥＤと、個々のＬＥＤに直接並列接続された複数個のコンデンサとを備えたＬＥＤユニットが提案されている（特許文献２）。
【０００５】
また、上記特許文献１だけに限らず、ツェナーダイオード等の保護素子を適切な位置に配置することで上記問題を解決する技術が提案されている（特許文献３）
【先行技術文献】
【特許文献】
【０００６】
【特許文献１】特開２００２−２９９６９７号公報
【特許文献２】特開２００８−５３６６３号公報
【特許文献３】特開２０１１−２３８９０２号公報
【発明の概要】
【発明が解決しようとする課題】
【０００７】
しかしながら、上記特許文献２、３における静電気対策方法であれば、導電パターン上で静電気が印加された際は、コンデンサまたはダイオード等により正常電圧に制御することが可能となるが、ＬＥＤ上に直接的に静電気が印加されるような場合では、コンデンサなどの保護素子が働かず、ＬＥＤが破壊されることがある。
【０００８】
本発明は、上記背景技術に鑑みてなされたものであり、ＬＥＤが破壊されることのない証明器具を提供するものである。
【課題を解決するための手段】
【０００９】
上記課題を解決するために本発明では、器具本体と、前記器具本体に実装されたＬＥＤ
基板と、前記器具本体と電気的に接続され導電部材を有する静電気除去部と、前記静電気除去部に前記静電気除去部の存在を示す表示ラベルを有する照明器具を用いる。
【００１０】
また、前記照明器具において、前記静電気除去部がプルスイッチを兼用していることを特徴とする照明器具であってもよい。
【００１１】
また、前記照明器具において、前記静電気除去部が落下防止ワイヤーを兼用していることを特徴とする照明器具であってもよい。
【発明の効果】
【００１２】
本発明によれば、静電気除去部とこの静電気除去部に表示ラベルを設けることによって、ＬＥＤに対し直接的な静電気の印加を防ぎ、ＬＥＤが破壊されることを防ぐことができる。
【図面の簡単な説明】
【００１３】
【図１】本発明の実施形態１における照明器具１の横から見た断面図である。
【図２】実施形態２における照明器具１を横から見た断面図である。
【図３】実施形態３における照明器具１の横から見た断面図である。
【発明を実施するための形態】
【００１４】
（実施形態１）
実施形態１で示す照明器具１について図１に基づいて説明する。照明器具１は以下に示す、器具本体２と、それに取付けられたＬＥＤ基板３からなり、天井４と取付け部材５によって取付けられている。図１に示す図は、照明器具１を横から見た断面図であるため、照明器具１全体の形状を把握できないが、本実施形態で示す照明器具１は円形のシーリングライトである。以下、照明器具１は円形のシーリングライトとして説明を行うが、照明器具１の形状は、円形に特定されず、四角形などいずれの形状であってもよい。
【００１５】
またＬＥＤ基板３に実装されるＬＥＤ（図示せず）に関しての形状、規格等は、特定していない。いずれの形状、規格等であってもよい。
【００１６】
器具本体２には電源装置（図示せず）や制御装置（図示せず）が設置されている。電源装置等の配置に関しては、従来から知られているＬＥＤ照明器具と同様の構成であってもよい。器具本体２は導電性の部材で作られており、たとえば、金属から成っている。器具本体２とＬＥＤ基板３の間は電気的接触が起こらないように、絶縁層が設けられ、電気的に分別されている。器具本体２とＬＥＤ基板３は電気的には分別されているが、物理的には接触しているため、ＬＥＤ基板３で発生した熱の放熱部の役割も果たす。ＬＥＤは熱に弱く、放熱部を有することで、ＬＥＤの寿命長期化が期待できる。
【００１７】
また、器具本体２の外周とＬＥＤ基板３の外周を比較すると、器具本体２の外周の方が大きく形成されていてもよい。これは、後に説明する静電気除去部６を器具本体２の外周部に設けるためである。
【００１８】
また、取付け部材５は天井４に照明器具１を設置するために使われる。この取付け部材５は器具本体２に取付けられたアダプタ１０と接続させることができる。この取付け部材５は従来知られているものを使用することができる。例えば、引掛けシーリングなどが知られており、照明器具１は引掛けシーリング（図示せず）に取り付け、アダプタ１０を回すことで装着が可能となる。
【００１９】
また、ＬＥＤ基板３には多数のＬＥＤが実装されている。ＬＥＤは半導体部品であるこ
とから、清掃時等、直接触れる際には注意が必要となる。注意を怠り、ＬＥＤに触れ、静電気が印加されてしまうと、大きな電圧がかかり、破壊される可能性がある。
【００２０】
そこで、人体に帯電している静電気を放電するために、ＬＥＤに触れる可能性のあるときには、事前に静電気除去部６に触れる。このことによって、人体に帯電された静電気が放電され、安全にＬＥＤ付近を清掃等可能となる。
【００２１】
この静電気除去部６は器具本体２と接続線７によって電気的に接続されている。このことによって、静電気除去部６に帯電した静電気は器具本体２を伝い放電される。また、器具本体２を介し、器具本体２に備えられている交流電源（図示せず）のアースに接続し放電を行うものであってもよい。接続線７は導電性の接続線７である。接続線７の周囲は、他の器具等と接触しても電気的接続を生じさせないために、絶縁材料で被服されているものを用いる。
また、図１では、静電気除去部６は照明器具１の略中央付近に取り付けられているが、器具本体２と接続線７を介して電気的に接続が可能な場所であれば、任意の位置に取り付け可能である。例えば、器具本体２の周囲に取り付けてもよい。このように、器具本体２の周囲に静電気除去部６を備える場合は、表示ラベル８を、静電気除去部６上であって使用者の目に入る場所に設置する必要がある。このように静電気除去部６は任意の場所に設けることが可能であるが、ＬＥＤ基板３と電気的接触が起こらないよう設計しなければならない。
表示ラベル８は器具カバー９よりも内側に取り付けられており、照明器具１を天井４に設置している際は目に入ることがなく、美観性を損なうことはない。また、使用者が清掃時等、器具カバー９を取り外した際に注意を惹くように備えられている。表示ラベル８の形は任意の形であってもよい。表示ラベル８の裏面は、粘着性があり、静電気除去部６に直接張り付けることが可能であってもよい。表示ラベル８が特に目立つ位置として、静電気除去部６を照明器具１の略中央部に設けた際には、静電気除去部６の真上に設けることが望ましい。
静電気除去部６に直接張り合わせることから、表示ラベル８は導電性を有する材質であってもよい。このことにより、使用者が、表示ラベル８上に触れることによって、静電気を放電することができる。
また、表示ラベル８には、使用者に対する注意書きを記載することが望ましい。例えば、「清掃時前には、必ず、この静電気除去部６に触れてから作業を行って下さい」などの旨を示す内容であればよい。また、使用者の注意を惹くよう、特徴的な色を着色することも考えられる。
静電気除去部６は導電部材から成っていればよい。例えば、金属が考えられる。また、この静電気除去部６は高誘電率シートと導体板からなるものを用いてもよい。このような、高誘電率シートと導体板からなる静電気除去部６を用いることで、より効果的に静電気が接続線７を介して器具本体２へ放電される。以下は高誘電率シートと導体板からなる静電気除去部６の構成例である。
高誘電率シートは、静電気を効果的に除去するために、比誘電率が１０以上の材質のものが好ましい。また、高誘電率シートの厚さは、静電気を除去するには薄いほど良い。高誘電率シートは、例えば、高誘電率ゴムシートや、高誘電率ゴムシートを導電性シートに張り付けたものや、高誘電率塗料を導電性シートに塗布したものなどから成る。高誘電率シートはいかなる形状を有していてもよい。円形・四角形、大小任意の静電気除去部６の作成が可能である。
【００２２】
高誘電率シートの組成は、例えば、クロロブレンゴム１００重量部、ジ（ブトキシエトキシエチル）アジペート１２〜２０重量部、チタン３０〜１３０重量部、スズコートチタン５〜２０重量部（またはホワイトカーボン３０重量部）、およびクレー０〜６５重量部から成る。
【００２３】
導体板は、例えば、導電性ゴムや、導電性プラスチック、金属などから成る。導体板を高誘電率シートに張り付ける材料は、例えば、導電性接着剤や、導電性の両面接着テープから成る。
【００２４】
導体板は、高誘電率シートの全面に張り付けられていても、その一部に貼り付けられていてもよい。また、導体板は、１個であっても、複数個であってもよい。また、導体板は、尖端が外部に突出していれば、高誘電率シートにより覆われていてもよい。
【００２５】
器具カバー９は従来用いられるカバーである。器具カバー９を用いることで、照射光を拡散させることができ、広範囲に照射光を行き届かせることが可能となる。その上、照明器具１の中に、ホコリや虫などの侵入をも防ぐ効果がある。この器具カバー９は照明器具１に装着されており、着脱可能な構造となっている。
【００２６】
スペース部１１は器具本体２の一部である。すなわち、図１には示していないが、スペース部１１には電源装置（図示せず）や配線設備（図示せず）等が収納されてもよい。図１には、取付け部材５と照明器具１を取り付けるためのアダプタ１０が内蔵されている。（実施形態２）
図２を用いて、実施形態２を説明する。実施形態２において、実施形態１と同様の構成をとる部分に関しては説明を省略する。
【００２７】
図２に示す静電気除去部６は、静電気を放電する役割と電源をＯＮ/ＯＦＦさせるプルスイッチの役割を果たしている。また静電気除去部６は紐状である。例えば、ステンレス繊維と合成樹脂繊維との混紡糸からなる径糸と緯糸とを平織りにした織布からなるものであってもよい。ステンレス繊維と合成樹脂繊維との混紡織布は、ステンレス繊維の混紡率や糸の太さなにより電気抵抗が変わる。すなわち、照明器具１に設置することを考慮に入れ、電気抵抗等を踏まえ静電気除去部６の材質を選定することができる。
【００２８】
静電気除去部６は最終的に、器具本体２に電気的に接続されているか、又は、器具本体２に備えられている交流電源（図示せず）のアースに接続されていてもよい。
（実施形態３）
図３を用いて、実施形態３を説明する。実施形態３において、実施形態１と同様の構成をとる部分に関しては説明を省略する。
静電気除去部６は、図３に示す照明器具１の落下防止ワイヤーの役割をも兼用させることも可能である。この落下防止ワイヤーは器具本体２と器具カバー９とを接続し、器具カバー９の落下を防止するものである。使用者は、照明器具１の清掃をする際、必ずこの落下防止ワイヤーを解除操作しなければ器具カバー９を取り外し不可能である。すなわち、使用者が照明器具１内を清掃等する際は、必ず落下防止ワイヤーに設置されている表示ラベル８を視認する。
【００２９】
このことにより、使用者に対し、作業前に静電気除去部６への接触を徹底することが可能となり、清掃時等のＬＥＤの破壊を防ぐことが可能となる。
【産業上の利用可能性】
【００３０】
本発明は、ＬＥＤを用いた照明器具に装備することで、静電気によるＬＥＤの破壊を防ぐことが可能となる。
【符号の説明】
【００３１】
１  照明器具
２  器具本体
３  ＬＥＤ基板
４  天井
５  取付け部材
６  静電気除去部
７  接続線
８  表示ラベル
９  器具カバー
１０  アダプタ
１１  スペース部
【図１】
2013182797.tif 000003
【図２】
2013182797.tif 000004
【図３】
2013182797.tif 000005